(57)【特許請求の範囲】
【請求項１】
ベッド（１１）上に露出する固定盤（１２）と、上下動作により固定盤（１２）との間隙を増減可能とする可動盤（１３）と、これら型締部の側方位置に開閉する扉（１４ａ，１４ｂ）を備えた竪型射出成形機において、
軸に対して直角方向に複数の溝（１８）を形成し、その一端を可動盤（１３）に固定した安全軸（１７）と、安全軸（１７）の溝（１８）に自在に挿入、離脱するロックプレート（２１）と、ロックプレート（２１）を安全軸（１７）の溝（１８）に挿入方向に押圧する押圧体（６１）と、
両側の扉（１４ａ，１４ｂ）に各々対応して可撓性部材（５１ａ，５１ｂ）が設けられ、
扉（１４ａ，１４ｂ）の閉時に押圧されて可撓性部材（５１ａ，５１ｂ）がロックプレート（２１）を安全軸（１７）の溝（１８）より離脱する方向に引くようにした動作伝達手段（６８）とを備え、
動作伝達手段（６８）は、扉（１４ａ，１４ｂ）の閉じ動作による回動動作により可撓性部材（５１ａ，５１ｂ）の引く動作として伝達するアーム手段（７０）と、
アーム手段（７０）により可撓性部材（５１ａ，５１ｂ）が引っ張られて動力を伝えるワイヤ引っ張り装置（７１）と、
両側の扉（１４ａ，１４ｂ）の可撓性部材（５１ａ，５１ｂ）に連結されて、所定の扉（１４ａ，１４ｂ）の状態により、ロックプレート（２１）に引く力を伝達するための制御機構（７２）とからなり、
制御機構（７２）は、両側の扉（１４ａ，１４ｂ）に各々対応して動作伝達手段（６８）の可撓性部材（５１ａ，５１ｂ）の各々の端部が、両端に各々回動可能に取り付けられた第１のレバー（６３）と、
一端を第１のレバー（６３）の中央に回動可能に固定され、且つ他端をロックプレート（２１）に安全軸（１７）の挿入、離脱方向に移動可能に固定されている第２のレバー（６４）とからなり、
両側の扉（１４ａ，１４ｂ）の開閉による可撓性部材（５１ａ，５１ｂ）の動きをロックプレート（２１）に伝達し、両側の扉（１４ａ，１４ｂ）が閉じているときのみ、ロックプレート（２１）を安全軸（１７）から離脱する方向に引く力が発生するようにすると共に、
片側の扉（１４ａ又は１４ｂ）のみ又は両側の扉（１４ａ，１４ｂ）が開いているときは、ロックプレート（２１）が安全軸（１７）に挿入されたままとなるように制御することを特徴とする竪型射出成形機の安全装置。
【請求項２】
前記可撓性部材（５１ａ，５１ｂ）は、チューブ付きワイヤであることを特徴とする請求項１に記載の竪型射出成形機の安全装置。
【発明の詳細な説明】
【０００１】
【発明の属する技術分野】
本発明は、射出成形機の型開閉動作を機械的に規制する安全装置に関するものである。
【０００２】
【従来の技術】
従来、この種の射出成形機の安全装置では、固定型と該固定型の上側に上下動可能に設けられた可動型とを有しこれら固定型および可動型の側方位置に鉛直軸回りに回転して開閉する扉が設けられてなるいわゆる竪型締式の射出成形機において、従来からメンテナンス作業時等において扉が開かれた際に型の移動を規制することができるものがある。具体的に、従来の射出成形機では、扉の開閉により作動されるリミットスイッチから出力される電気信号を用いて、扉が開かれた際には型を移動させる停止制御を行うようになっている。
【０００３】
また、その他のこの種の竪型射出成形機の型開閉動作を規制する安全装置としては、特許第３０５５４４０号公報に示されるものがある。
【０００４】
このような構成の射出成形機によれば、図６および図７に示すように、扉１４が閉状態にあると、リンク機構２２の作動アーム２８が該扉１４に押圧されて、剛的なアーム２９を介して、ストッパ２１をスプリング２５の付勢力に抗してストップバー１７から離間させることになり、よって、ストップバー１７すなわち可動型１３はストッパ２１の規制を何等受けず、上下動可能な状態となる。これにより、扉１４が閉状態にあると固定型１２に対し可動型１３は自由に移動でき、上下動作が可能になる。
【０００５】
他方、メンテナンス作業時等において扉１４が開状態にあると、リンク機構２２の作動アーム２８が該扉１４による押圧が解除されフリーな状態になることになるため、ストッパ２１がスプリング２５の付勢力でストップバー１７の溝１８に係合し、よって、ストップバー１７すなわち可動型１３はその下方すなわち固定型１２方向への移動がストッパ２１で規制された状態となる。このように、扉１４が開かれた際の可動型１３の移動規制を機械的に行う。
【０００６】
【発明が解決しようとする課題】
しかしながら、上記従来の安全装置では、以下のような課題がある。
【０００７】
前者の上記従来の射出成形機は、リミットスイッチによる電気信号を用いるものであるため、誤作動を生じる可能性があり十分な信頼性が得られないという問題があった。
【０００８】
また、後者の従来の安全装置には、上記のように、ストッパの開閉にリンク機構を用いた構成となっているため、扉が機械の左右にある場合には、可動型の左右に１つずつ、合計２つのストップバー、ストッパ、リンク機構を設ける必要があり、機械のコストアップになるという問題点がある。さらに、ストッパの開閉のための動作伝達手段として剛的なアーム２９を使用しているため、ストップバーや、ストッパの設置位置の制約があるため、安全装置のレイアウト設計の自由度が低いという問題点もある。
【０００９】
本発明は、このような課題を解決するためのものである。
【００１０】
【課題を解決するための手段】
本発明は、上記のような従来の課題を解決するためのものであり、扉が機械の左右にある場合でも、１つの安全装置で、射出成形機の型開閉動作を機械的に規制することができ、且つ安全装置のレイアウト設計も自由度が高い安全装置を提供することを目的とする。
【００１１】
本発明のうちで請求項１記載の発明では、ベッド（１１）上に露出する固定盤（１２）と、上下動作により固定盤（１２）との間隙を増減可能とする可動盤（１３）と、これら型締部の側方位置に開閉する扉（１４ａ，１４ｂ）を備えた竪型射出成形機において、
軸に対して直角方向に複数の溝（１８）を形成し、その一端を可動盤（１３）に固定した安全軸（１７）と、安全軸（１７）の溝（１８）に自在に挿入、離脱するロックプレート（２１）と、ロックプレート（２１）を安全軸（１７）の溝（１８）に挿入方向に押圧する押圧体（６１）と、
両側の扉（１４ａ，１４ｂ）に各々対応して可撓性部材（５１ａ，５１ｂ）が設けられ、
扉（１４ａ，１４ｂ）の閉時に押圧されて可撓性部材（５１ａ，５１ｂ）がロックプレート（２１）を安全軸（１７）の溝（１８）より離脱する方向に引くようにした動作伝達手段（６８）とを備え、
動作伝達手段（６８）は、扉（１４ａ，１４ｂ）の閉じ動作による回動動作により可撓性部材（５１ａ，５１ｂ）の引く動作として伝達するアーム手段（７０）と、
アーム手段（７０）により可撓性部材（５１ａ，５１ｂ）が引っ張られて動力を伝えるワイヤ引っ張り装置（７１）と、
両側の扉（１４ａ，１４ｂ）の可撓性部材（５１ａ，５１ｂ）に連結されて、所定の扉（１４ａ，１４ｂ）の状態により、ロックプレート（２１）に引く力を伝達するための制御機構（７２）とからなり、
制御機構（７２）は、両側の扉（１４ａ，１４ｂ）に各々対応して動作伝達手段（６８）の可撓性部材（５１ａ，５１ｂ）の各々の端部が、両端に各々回動可能に取り付けられた第１のレバー（６３）と、
一端を第１のレバー（６３）の中央に回動可能に固定され、且つ他端をロックプレート（２１）に安全軸（１７）の挿入、離脱方向に移動可能に固定されている第２のレバー（６４）とからなり、
両側の扉（１４ａ，１４ｂ）の開閉による可撓性部材（５１ａ，５１ｂ）の動きをロックプレート（２１）に伝達し、両側の扉（１４ａ，１４ｂ）が閉じているときのみ、ロックプレート（２１）を安全軸（１７）から離脱する方向に引く力が発生するようにすると共に、
片側の扉（１４ａ又は１４ｂ）のみ又は両側の扉（１４ａ，１４ｂ）が開いているときは、ロックプレート（２１）が安全軸（１７）に挿入されたままとなるように制御することを特徴とする。
【００１４】
本発明のうちで請求項２記載の発明では、前記可撓性部材（５１ａ，５１ｂ）は、チューブ付きワイヤであることを特徴とする。
【００１５】
なお、上記かっこ内の符号は、後述する実施の形態の対応する部材を示す。
【００１６】
【発明の実施の形態】
以下に、本発明の第１の実施の形態を図により説明する。図１は、本発明の実施の形態を示す射出成形機の安全装置の全体構成図であり、（ａ）は右側面図、（ｂ）は成形機を後方から見た図である。図２は、図１のＡ方向矢視図、図３は、図２のＢ方向矢視図であり、（ａ）は扉開き状態を示し、（ｂ）は扉閉じ状態を示す。図４は、図２のＣ部の詳細図であり、（ａ）は左扉が閉じ、右扉が開きの状態、（ｂ）は左扉開き、右扉閉じの状態、（ｃ）は左右扉開きの状態、（ｄ）は左右扉閉じの状態を示す。図５（ａ）は図４（ｄ）の側面図、図５（ｂ）は図５（ａ）のＡ部拡大図を示す。
【００１７】
図１において、符号１１は位置固定のベッド、符号１２は該ベッド１１に固定された固定盤、符号１３は該固定盤１２の上側に上下動可能に設けられた可動盤である。図２に示す符号１４ａ，１４ｂは、これら固定盤１２および可動盤１３の側方位置の両側に各々配置され、鉛直軸回りに回転して開閉する扉を示している。扉１４ａ，１４ｂは、射出成形機の前方からみて、左側を左の扉１４ａ、右側を右の扉１４ｂとする。
【００１８】
図１に示すように、可動盤１３には、鉛直下方に延びる安全軸１７が射出成形機の前方からみて右の扉１４ｂ側に固定されている。この安全軸１７には、その扉１４ａ向きに鉛直方向に所定の等間隔をあけて多数の溝１８が水平方向に形成されている。なお、固定盤１２は安全軸１７が干渉しない形状となっており、ベッド１１には該安全軸１７が挿通される挿通孔が貫通形成されている。
【００１９】
ベッド１１には、安全軸１７よりも扉１４ａ側の側方に平板状のロックプレート２１が、扉１４ａ，１４ｂ側に設けられた動作伝達手段６８に連結された状態で設けられている。
【００２０】
図５（ａ）に示すように、ロックプレート２１は、ベッド１１に設けられた、支点ボルト６０により一端側が、鉛直方向に略位置固定で鉛直軸回りに回転可能に支持されており、他端側が安全軸１７の溝１８に係合可能とされている。そして、該ロックプレート２１には、該ロックプレート２１を安全軸１７方向に押圧する押圧体６１の押圧力により係合させ、可動盤１３の落下を防止する。より詳細には、ロックプレート２１がベッド１１上のロック台５９にねじ込まれた支点ボルト６０を中心に水平方向に揺動可能に固定されている。図５（ｂ）に示すように、ロック台５９の支点ボルト６０ねじ込み部には、ねじりコイルばね等の押圧体６１が内蔵されている。押圧体６１の上端にロックプレート２１が挿入され、下端はロック台５９に挿入されており、予め設定されてあるねじり角に比例した押圧力がロックプレート２１を安全軸１７方向に押し付ける力として作用する。
【００２１】
動作伝達手段６８は、図２に示すように、主として、扉１４ａ，１４ｂの閉じ動作による回動動作によりワイヤ等の可撓性部材の引く動作として伝達するアーム手段７０と、アーム手段７０により引っ張られて動力を伝える可撓性部材を備えたワイヤ引っ張り装置７１と、左右の扉１４ａ，１４ｂのワイヤ等の可撓性部材に連結されて、所定の扉１４ａ，１４ｂの状態により、ロックプレート２１に引く力を伝達するための制御機構７２とからなる。
【００２２】
アーム手段７０は、図３に示すように、主として、扉支柱５７ａに「く」の字状のアーム５４ａをその屈曲部のアーム支点６７ａにおいて、図３中、屈曲部が上側を向くように回動可能に取り付けられている。アーム５４ａの扉１４ａ側の端部には、扉１４ａが開いた状態において、円盤状のローラ５３ａが扉支柱５７ａよりも扉１４ａ側に突出して取り付けられている。扉１４ａには、その内側で、扉支柱５７ａ側に扉１４ａの端部と直線状となるようなカム５２ａがボルト等により取り付けられている。ローラ５３ａは、扉１４ａが閉じたときに、カム５２ａにより扉支柱５７ａ側に押される位置に配置されている。そして、扉１４ａが蝶番６６ａを中心に回動されて閉じると、扉支柱５７ａに取り付けられたアーム５４ａが図３（ａ）の状態から図３（ｂ）の状態に、二点鎖線で示された反時計回りに所定角度回動される。なお、図３において、便宜上、左の扉１４ａのみについて説明しているが、右の扉１４ｂについても、全く同様の構成となっている。
【００２３】
ワイヤ引っ張り装置７１は、図３、４、５に示すように、アーム５４ａのローラ５３ａ側と反対の他端に取り付けられたワイヤ先端クレビス５５ａと、ワイヤ先端クレビス５５ａに連結されたワイヤと、ワイヤを挿通するチューブと、チューブを扉支柱５７ａに固定する第１のチューブ固定部５８ａと、左右両側のチューブをベッド１１に固定する第２のチューブ固定部６５と、ワイヤを制御機構７２に取り付けるワイヤ後端クレビス６２ａとからなる。本実施の形態では、ワイヤ引っ張り装置７１としては、自転車等のブレーキに使用されているものと同構造のチューブ付きワイヤ５１ａとしている。
【００２４】
第１のチューブ固定部５８ａは、アーム５４ａの近傍に設けられており、チューブを扉支柱５７ａの長手方向に対して略平行に支持するように取り付けられている。第２のチューブ固定部６５は、図５（ａ）に示すように、扉支柱５７ａの長手方向に対して平行で、側面からみるとＬ字状に立設して固定されている。
【００２５】
扉１４ａ，１４ｂの開閉動作の伝達は、以下のように行う。
具体的には、図３（ｂ）に示すように、扉１４ａが閉じると、カム５２ａがローラ５３ａを押さえるので、アーム５４ａはアーム支点６７ａを中心に反時計回りに回転する。アーム５４ａの他端に連結されたワイヤ先端クレビス５５ａを介して、チューブ付きワイヤ５１ａのチューブ内のワイヤが上方向に引き出される。このときチューブ付きワイヤ５１ａのチューブ部はチューブ固定部５８ａに固定されているので、チューブ内をワイヤだけが上方に移動することになる。
【００２６】
この状態で、扉１４ａが開くと、図３（ａ）に示すように、カム５２ａによるローラ５３ａの押さえつけが解除されて、ワイヤが弛むこととなる。すなわち、カム５２ａがローラ５３ａを押さえることはないので、アーム５４ａはアーム支点６７ａを中心に時計回りに回転する。アーム５４ａの末端には、ワイヤ先端クレビス５５ａを介して、チューブ付きワイヤ５１ａ内部のワイヤが、押圧体６１の押圧力により、図中、下方向に戻る。
【００２７】
制御機構７２は、図４に示すように、両側の扉１４ａ，１４ｂに各々対応して動作伝達手段６８の可撓性部材の端部が、両端に各々、ワイヤ後端クレビス６２ａ，６２ｂを介して、回動可能に取り付けられた第１のレバー６３と、一端を第１のレバー６３の中央に回動可能に固定され、且つ他端をロックプレート２１に安全軸１７の挿入、離脱方向に移動可能に固定されている第２のレバー６４とからなる。第２のレバー６４は、その一端に、「く」の字状のロックプレート２１の中間部と、ロックプレート２１が支点ボルト６０を中心に回転可能に連結されている。
【００２８】
ロックプレート２１の係合を解除し、可動盤１３が上下動可能な状態にするには、図２の左右の扉１４ａ，１４ｂの両側を閉じ状態とすることにより、その閉じ動作をチューブ付きワイヤ５１ａ，５１ｂによりロックプレート２１に伝達し、ロックプレート２１が押圧体６１の押圧力に抗して安全軸１７から離脱することで、可動盤１３が上下動可能となる。
【００２９】
以下、詳細に説明する。
図４（ａ）〜（ｄ）は、左右の扉１４ａ，１４ｂの動きによるロックプレート２１の動作状態を表したものである。
【００３０】
まず、図４（ｄ）は、左右の扉１４ａ，１４ｂが閉じた状態について説明する。
【００３１】
左右の扉１４ａ，１４ｂが閉じた状態では、チューブ付きワイヤ５１ａ，５１ｂのワイヤが扉支柱５７ａの図中、上方向に引っ張られた状態となる。これにより、左右のワイヤ後端クレビス６２が、ストッパ引っ張りストロークＳだけ、右側に移動し、第１のレバー６３がチューブ固定部６５に対して平行に引っ張られることとなり、第２のレバー６４を介してロックプレート２１が解除方向に回転し、ロックプレート２１が安全軸１７に係合しないで離脱状態となる。
【００３２】
次に、図４（ｃ）は、左右の扉１４ａ，１４ｂが開いた状態を示し、左右の扉１４ａ，１４ｂが開くことで、チューブ付きワイヤ５１ａ，５１ｂのワイヤが弛み、ロック台５９に内蔵してある押圧体６１であるねじりコイルバネの押圧力でロックプレート２１が安全軸１７方向に回転し、ロックプレート２１が安全軸１７の溝１８に挿入した状態となる。
【００３３】
図４（ａ）は左の扉１４ａが閉じ、右の扉１４ｂが開いた状態を示し、左の扉１４ａの閉じ動作によりチューブ付きワイヤ５１ａのワイヤが引き出されて、左のワイヤ後端クレビス６２ａが右側に引っ張られる。右の扉１４ｂは開きの状態なので、チューブ付きワイヤ５１ｂ内部のワイヤが弛んでいる状態となっている。すなわち、左のワイヤが引き状態、右のワイヤが弛み状態となるため、第１のレバー６３が傾いた状態となっており、第２のレバー６４を引っ張る力は発生せず、ロックプレート２１は解除されない。このためロックプレート２１は安全軸１７から抜かれないので、安全軸１７に押し付けられて挿入したままの状態となっている。
【００３４】
図４（ｂ）は右の扉１４ｂが閉じ、左の扉１４ａが開いた状態を示し、右の扉１４ｂの閉じ動作によりチューブ付きワイヤ５１ｂのワイヤが引き出されて、左のワイヤ後端クレビス６２ｂが右側に引っ張られる。左扉１４ａは開きの状態なので、チューブ付きワイヤ５１ａ内部のワイヤは弛んでいる状態となっている。すなわち、右のワイヤが引き状態、左のワイヤが弛み状態となるため、第１のレバー６３が傾いた状態となっている。このため、第２のレバー６４を引っ張る力は発生せず、ロックプレート２１は解除されず、ロックプレート２１は安全軸１７から抜かれないので、安全軸１７の溝１８に挿入状態となっている。
【００３５】
なお、本実施の形態では、扉１４ａ，１４ｂは、鉛直軸回りに回転して開閉するようにしているが、これに限定されるものではなく、扉の開閉動作を伝達できれば良く、例えば、扉に取り付けられたカムによりアーム手段のローラが押されるようなスライド引き戸型の扉としても良い。
【００３６】
また、本実施の形態では、ロックプレート２１の形状は、「く」の字形状となっているが、これに限定されるものではなく、安全軸の溝１８に挿入、離脱するような形状であれば良く、回動せずに直線移動で溝１８にはまり込むようなものとしても良い。この場合、ロックプレート２１の押圧体の押圧力は直線的にかかるようにし、動作伝達手段で、ロックプレート２１を直線的に移動させるようにする。
【００３７】
また、本実施の形態では、安全軸１７が射出成形機の前方からみて右の扉１４ｂ側に固定されているため、安全装置も右の扉１４ｂ側に取り付けられているが、これに限定されるものではなく、安全軸１７の位置に合わせて、取り付けるようにすることができる。
【００３８】
また、本実施の形態では、射出成形機の両方の扉１４ａ，１４ｂについて１つの安全装置としているが、勿論、従来のように各扉１４ａ，１４ｂ毎に安全装置を設けることも可能である。ワイヤ等の可撓性部材を使用しているので、設計の自由度が高いためである。この場合、制御機構を使用せずに直接、ワイヤ等の可撓性部材で、ロックプレート２１を引くような構成とすることも可能である。
【００３９】
【発明の効果】
以上説明したように、本発明のうち請求項１記載の発明では、両側の扉（１４ａ，１４ｂ）に各々対応してワイヤー等の可撓性部材が設けられ、両側の扉（１４ａ，１４ｂ）の開閉による可撓性部材の動きを、ロックプレート（２１）に伝達し、両側の扉（１４ａ，１４ｂ）が閉じているときのみ、ロックプレート（２１）を安全軸（１７）から離脱する方向に引く力が発生するようにすると共に、片側の扉（１４ａ又は１４ｂ）のみ又は両側の扉（１４ａ，１４ｂ）が開いているときは、ロックプレート（２１）が安全軸（１７）に挿入されたままとなるように制御する構成としたので、扉の開閉動作の伝達にワイヤ等の屈曲可能な動作伝達手段とすることにより、安全軸（１７）や、ロックプレート（２１）の設置位置の制約もなくなり、安全装置のレイアウト設計の自由度が高いという効果がある。
【００４０】
また、左右両扉（１４ａ，１４ｂ）が閉じた場合だけロックプレート（２１）を離脱するようにしたため、より安全性を高めることが可能となる。また、１つの安全装置により、両側の扉の開閉状態を制御して射出成形機の型開閉動作を規制することができるので、左右の扉各々に安全装置を設ける必要がなく、コスト的にも安価なものとできる。
【００４１】
さらに、前記動作伝達手段（６８）は、扉（１４ａ，１４ｂ）の閉じ動作による回動動作によりワイヤ等の可撓性部材（５１ａ，５１ｂ）の引く動作として伝達するアーム手段（７０）と、アーム手段（７０）により引っ張られて動力を伝える可撓性部材を備えたワイヤ引っ張り装置（７１）と、両側の扉（１４ａ，１４ｂ）のワイヤ等の可撓性部材に連結されて、所定の扉（１４ａ，１４ｂ）の状態により、ロックプレート（２１）に引く力を伝達するための制御機構（７２）とからなる構成としたことにより、安全装置を簡易な構成とすることができる。
【００４２】
また、前記制御機構（７２）は、両側の扉（１４ａ，１４ｂ）に各々対応して動作伝達手段（６８）の可撓性部材の各々の端部が、両端に各々回動可能に取り付けられた第１のレバー（６３）と、一端を第１のレバー（６３）の中央に回動可能に固定され、且つ他端をロックプレート（２１）に安全軸（１７）の挿入、離脱方向に移動可能に固定されている第１のレバー（６４）とからなる構成としたことにより、簡易な構成で、扉（１４ａ，１４ｂ）の開閉動作をロックプレート（２１）に伝達することが可能となる。
【００４３】
すなわち、左右の扉（１４ａ，１４ｂ）の両方が閉じられた状態では、第１のレバー（６３）がロックプレート（２１）に対して引っ張られることとなり、第２のレバー（６４）を介してロックプレート（２１）が解除方向に回転し、ロックプレート（２１）が安全軸（１７）から抜かれる状態となる。
【００４４】
他方、片側の扉（１４ａ又は１４ｂ）が開いた状態では、片側の扉（１４ｂ又は１４ａ）の閉じ動作によりワイヤ等の可撓性部材が引き出されるが、他方の扉（１４ａ又は１４ｂ）は開きの状態なので、対応するワイヤ等の可撓性部材は弛んでいる状態となっている。このため、第１のレバー（６３）が傾いた状態となっているため、第２のレバー（６４）を引っ張る力は発生せず、ロックプレート（２１）は解除されず、このためロックプレート（２１）は安全軸（１７）から抜かれないので、安全軸（１７）に押し付けられた状態となっている。
【００４５】
本発明のうち請求項２記載の発明では、前記可撓性部材は、チューブ付きワイヤ（５１ａ，５１ｂ）としたことにより、簡易で、且つ安価に安全装置を製造することが可能となる。
【図面の簡単な説明】
【図１】本発明の実施の形態を示す射出成形機の安全装置の全体構成図であり、（ａ）は右側面図、（ｂ）は成形機を後方から見た図である。
【図２】図１のＡ方向矢視図である。
【図３】図２のＢ方向矢視図であり、（ａ）は扉開き状態を示し、（ｂ）は扉閉じ状態を示す。
【図４】図２のＣ部の詳細図であり、（ａ）は左扉が閉じ、右扉が開きの状態、（ｂ）は左扉開き、右扉閉じの状態、（ｃ）は左右扉開きの状態、（ｄ）は左右扉閉じの状態を示す。
【図５】（ａ）は図４（ｄ）の側面図、（ｂ）は（ａ）のＡ部拡大図である。
【図６】従来の射出成形機の安全装置の部分側面図である。
【図７】図６の要部平面図である。
【符号の説明】
１２  固定盤
１３  可動盤
１４ａ，１４ｂ  扉
１７  安全軸
１８  溝
２１  ロックプレート
５１ａ，５１ｂ  チューブ付きワイヤ
５２ａ，５２ｂ  カム
５３ａ，５３ｂ  ローラ
５４ａ，５４ｂ  アーム
５５ａ，５５ｂ  ワイヤ先端クレビス
５７ａ，５７ｂ  扉支柱
５８ａ，５８ｂ  チューブ固定部
５９  ロック台
６０  支点ボルト
６１  押圧体（ねじりコイルバネ）
６２ａ，６２ｂ  ワイヤ後端クレビス
６３  第１のレバー
６４  第２のレバー
６５  チューブ固定部
６６ａ，６６ｂ  蝶番
６７ａ，６７ｂ  アーム支点
６８  動作伝達手段
７０  アーム手段
７１  ワイヤ引っ張り装置
７２  制御機構
【図１】
0003616364.tif 000002
【図２】
0003616364.tif 000003
【図３】
0003616364.tif 000004
【図４】
0003616364.tif 000005
【図５】
0003616364.tif 000006
【図６】
0003616364.tif 000007
【図７】
0003616364.tif 000008